(57)【要約】【課題】全体としてコンパクトで、土木作業現場で常に安定して機能することができるところの土木作業車のショベル角度指示器を提供すること。【解決手段】土木作業車のショベル角度を初期設定角度に是正操作するためのショベル角度指示器で、基準部及び回動部を、一面開放、他面有底のドラム型に構成し、互いに略密着状態で対向配置し、前記回動部のドラム内部に錘部を固定し、且つ、振止部として、同様のドラム型に構成すると共に、回動部に設けた少なくとも１本の規制ピンと、ドラム型に設けたの２本の振止め範囲規制ピンで構成している。【選択図】        図３
2007040081.tif 000002
【特許請求の範囲】
【請求項１】
バケットの一部に取り付けられる支持部１と、この支持部１に固定され、ショベル操作席に臨むように基準位置５を表示可能とした基準部２と、該基準部２に対して回動するように前記支持部１に設けられ、回動位置１９を表示可能とした回動部３と、この回動部３に設けた錘部４と、前記基準部２の前記基準位置５に対する前記回動部３の回動を規制する振止部６とから成るショベルを備えた土木作業車のショベル角度を初期設定角度に是正操作するためのショベル角度指示器であって、
前記基準部２を、一面開放、他面有底のドラム型に構成し、
前記回動部３を、前記基準部２と実質的に同径サイズで、一面開放、他面有底のドラム型に構成し、
前記基準部２と前記回動部３の開放面を略密着状態で対向配置し、
前記回動部３のドラム内部に前記錘部４を固定し、且つ、前記振止部６の構成部材である少なくとも１本の規制ピン６Ａをその有底面の外側に、該ドラム型の軸線方向に並行となるように突設配置し、
前記振止部６を、同様の一面開放、他面有底のドラム型に構成して、その開放面を前記回動部３の有底面の外側に略密着状態で臨ませて配置して前記支持部１に固定して設け、
前記振止部６のドラム型内部に、少なくとも２本の振止め範囲規制ピン６Ｂ、６Ｃを所定の間隔で設けてある、
ことを特徴とする土木作業車のショベル角度指示器。
【請求項２】
前記振止部６のドラム型有底面の外側の中心にネジ軸７を突設し、該ネジ軸７を前記支持部１にナット８でもって所定回動位置１９で固定できるように構成してあることを特徴とする請求項１の土木作業車のショベル角度指示器。
【請求項３】
前記基準部２のドラム型有底面の中心に、その一端のネジ部９Ａが外側に突出し、その他端の基端部９Ｂが内側に突出するネジ軸９を設け、前記基端部９Ｂに挿入孔９Ｃを形成し、前記ネジ部９Ａを前記支持部１にナット１０でもって所定回動位置１９で固定できるように構成し、前記回動部３のドラム型有底面の中心に、その一端のネジ部１１Ａが外側に突出し、その他端の基端部１１Ｂが内側に突出するネジ軸１１をナット１２、１２でもって固定し、該ネジ軸１１の基端部１１Ｂに挿入孔１３を形成し、前記回動部３のネジ軸１１の挿入孔１３と前記基準部２のネジ軸９の基端部９Ｂの挿入孔９Ｃとに亘って支持軸１４を夫々回動自在に遊嵌してあることを特徴とする請求項１又は請求項２の土木作業車のショベル角度指示器。
【発明の詳細な説明】
【技術分野】
【０００１】  本発明は、ショベルを備えた土木作業車のショベル角度を初期設定角度に是正操作するための土木作業車のショベル角度指示器に関する。
【従来技術】
【０００２】  土木作業において、図１１に示すように、法面を所定勾配に仕上げる作業は、ショベルなどを用いて行う、本発明において、ショベルは、ショベルローダーではなく、クレーンの荷役端部に掘削用バケットを取り付け、該バケットによって法面の仕上げ作業を行うものである。
その他に、バックホウによる場合や、作業としては、法面仕上げ以外に、図１２に示す土羽打ち仕上げ、図１３に示すような水平仕上げ（波返し）、ほ場整備等の畦畔天端仕上げ、土間水平打ち仕上げが対象とされる。
【０００３】  ショベルを用いた法面仕上げ作業は、仕上げる法面から離れた位置に作業車体を位置させて、バケットを所定角度に維持した状態で、掘削方向にバケットを相さして法面を切崩しつつ均す。その理由は、ショベルローダーのように実際の仕上げ箇所近傍に車体を位置させた場合、法面勾配が把握し難く、また正確な勾配に仕上げ難いためである。
【０００４】  この作業時には、掘削部分にツメを有していない法面専用のバケットが主に用いられるが、掘削部分にツメを有した標準的な掘削、積み込み、切崩し兼用のバケットを用いることもある。本発明において、ショベルとはバケットを含む作業部の全体を総称するものである。従って、ショベルの傾斜角度とは、バケットの傾斜角度と同義である。
【０００５】  法面勾配等を所定の角度に均すために、従来は、この作業前及び作業時に、山くわ、スコップなどで切込みをつけるか、又は、助手によって気泡を有した勾配器で法面勾配を計測し、ショベル操作者に合図を送る、或いはショベル操作者が運転席から降りて、法面に前記勾配器を当てて計測（確認）するなどしていた。従って、従来は、バケットを所定角度に維持した状態で操作することができるバケット操作の熟練者でなければ作業を行うことが難しかった。
【０００６】  そこで、本発明者は、こうした問題を解決するために、バケットの一部に取り付けられる支持部と、この支持部に固定され、ショベル操作席に臨むように基準位置を表示可能とした基準部と、該基準部に対して回動するように前記支持部に設けられ、回動位置１９を表示可能とした回動部と、この回動部に設けた錘部と、前記基準部の前記基準位置に対する前記回動部の回動を規制する振止部とから成るショベルを備えた土木作業車のショベル角度を初期設定角度に是正操作するための法面角度指示器を提案した。
かかる従来技術は、次の通りである。
【特許文献１】特許第３６５０７８８号。法面角度指示器。
【発明の開示】
【発明が解決しようとする課題】
【０００７】  上述の法面角度指示器によって、ショベルの操作に伴い変化するショベル角度を、運転席から目視して、初期設定の基準に戻すようにショベルを操作することができるようになったものであり、これによって、熟練者でなくとも法面の切り取り、均し作業を容易に能率良く行うことが出来たのであるが、次の問題が発生した。【０００８】  即ち、上述の法面角度指示器にあっては、その実施の具体構成として、上記の錘部を、回動部の周面に突設していたことによって、野外の土手等の作業現場にあっては、土砂粉塵、草木、枝、蔓等がその錘部に引っ掛かり、自在に回動出来なくなるという問題が生じた。
また、振止部についても、基準部の外周に位置させて設けてあるため、同様の問題が発生すると同時に、テープを用いた振止め構造は、構造的に安定性に欠けると共に調節操作が行い難いという問題があった（当該構造は、特許第３６５０７８８号の明細書を引用する）。【０００９】  本発明は、かかる問題点に鑑み、全体としてコンパクトで、土木作業現場で常に安定して機能することができるところの土木作業車のショベル角度指示器を提供することを目的とする。
【課題を解決するための手段】
【００１０】  本発明にかかる土木作業車のショベル角度指示器は、上記目的を達成するために、バケットの一部に取り付けられる支持部１と、この支持部１に固定され、ショベル操作席に臨むように基準位置５を表示可能とした基準部２と、該基準部２に対して回動するように前記支持部１に設けられ、回動位置１９を表示可能とした回動部３と、この回動部３に設けた錘部４と、前記基準部２の前記基準位置５に対する前記回動部３の回動を規制する振止部６とから成るショベルを備えた土木作業車のショベル角度を初期設定角度に是正操作するためのショベル角度指示器であって、
前記基準部２を、一面開放、他面有底のドラム型に構成し、
前記回動部３を、前記基準部２と実質的に同径サイズで、一面開放、他面有底のドラム型に構成し、
前記基準部２と前記回動部３の開放面を略密着状態で対向配置し、
前記回動部３のドラム内部に前記錘部４を固定し、且つ、前記振止部６の構成部材である少なくとも１本の規制ピン６Ａをその有底面の外側に、該ドラム型の軸線方向に並行となるように突設配置し、
前記振止部６を、同様の一面開放、他面有底のドラム型に構成して、その開放面を前記回動部３の有底面の外側に略密着状態で臨ませて配置して前記支持部１に固定して設け、
前記振止部６のドラム型内部に、少なくとも２本の振止め範囲規制ピン６Ｂ、６Ｃを所定の間隔で設けてある、
という手段を講じたものである。
【発明の効果】
【００１１】  本発明にかかるショベル角度指示器によれば、前記基準部２をドラム型に構成し、前記回動部３を、前記基準部２と実質的に同径サイズで、ドラム型に構成し、前記基準部２と前記回動部３の開放面を略密着状態で対向配置し、前記回動部３のドラム内部に前記錘部４を固定し、そして、前記振止部６は、少なくとも１本の規制ピン６Ａをその有底面の外側に、該ドラム型の軸線方向に並行となるように突設配置し、且つ、ドラム型に構成して、その開放面を前記回動部３の有底面の外側に略密着状態で臨ませて配置して、前記振止部６のドラム型内部に、少なくとも２本の振止め範囲規制ピン６Ｂ、６Ｃを所定の間隔で設けたことによって、本発明者が提案した従来の法面角度指示器に比べて、全体がコンパクトに纏りながら、振止部や錘部に草木が絡むといったトラブルを未然に回避できて、野外において安定してショベル角度指示機能を発揮することが可能となったものである。
【発明を実施するための最良の形態】
【００１２】  本発明において、前記振止部６のドラム型有底面の外側の中心にネジ軸７を突設し、該ネジ軸７を前記支持部１にナット８でもって所定回動位置１９で固定できるように構成してあることが好ましい。
このように、前記振止部６をネジ軸７でもって支持部１にナット８で固定するように構成したことで、規制ピン６Ａに対する振止部６の２本の振止め範囲規制ピン６Ｂ、６Ｃの位置を容易に調整できて、初期設定のショベルの所定角度における位置調節が用意になった。【００１３】  また、前記基準部２のドラム型有底面の中心に、その一端のネジ部９Ａが外側に突出し、その他端の基端部９Ｂが内側に突出するネジ軸９を設け、前記基端部９Ｂに挿入孔９Ｃを形成し、前記ネジ部９Ａを前記支持部１にナット１０でもって所定回動位置１９で固定できるように構成し、前記回動部３のドラム型有底面の中心に、その一端のネジ部１１Ａが外側に突出し、その他端の基端部１１Ｂが内側に突出するネジ軸１１をナット１２、１２でもって固定し、該ネジ軸１１の基端部１１Ｂに挿入孔１３を形成し、前記回動部３のネジ軸１１の挿入孔１３と前記基準部２のネジ軸９の基端部９Ｂの挿入孔９Ｃとに亘って支持軸１４を夫々回動自在に遊嵌してあることが好ましい。
このような構造を採用することで、基準部２及び回動部３が、両側有底のドラム型を形成して、その中において回動部３が回動自在となるように連結されるので、外観もシンプルとなると共に連結部に対する草木、粉塵による回転トラブルを確実に防止できる。
また、振止部６を含めて三者が密着配置されるが、両側の基準部２及び振止部６を取り外すと、三者が容易に分解できる。
【実施例】
【００１４】  以下、本発明の土木作業車のショベル角度指示器の好適実施例について、図面を参照して説明する。
図１及び図２に示すように、土目作業車であるバックホウのバケット１５の側壁の縁部に、このショベル角度指示器が取り付けられる。【００１５】  図３乃至図１０に示すように、このショベル角度指示器の基本構造は、バケット１５の側壁の縁部に取り付けられる支持部１と、この支持部１に固定され、ショベル操作席に臨むように基準位置５を表示可能とした基準部２と、該基準部２に対して回動するように前記支持部１に設けられ、回動位置１９を表示可能とした回動部３と、この回動部３に設けた錘部４と、前記基準部２の前記基準位置５に対する前記回動部３の回動を規制する振止部６とから成るもので、これにより、ショベルを備えた土木作業車のショベル角度を、操縦席から初期設定角度に是正操作するように構成されている。
前記基準部２の基準位置５と、回動部３の回動位置１９は、この実施例では、マーカーによって着色された部分で構成されている。【００１６】  具体的な構造として、前記支持部１は、バケット１５の側壁の縁部にボルトによりクランプ手段１Ｂによって取り付けられる、長孔を有する取り付け部材１Ａと、該取り付け部材１Ａに対して、連結ボルト１Ｃでもって相対手に摺動自在に係合される、長孔を有する支持部材１Ｄとから構成されている。
この支持部材１Ｄは、枠フレーム１Ｅの構造を採用している。
この支持部１の構造によって、前記支持部材１Ｄは、バケット１５に対して、その長孔部分で、全体の長さ調節を行うことが出来ることは勿論のこと、所定の角度で中折状態とすることが可能であり、これによって、操縦席から基準部２、回動部３が見易い状態を得ることが出来るように調節できる。【００１７】  そして、前記基準部２は、前記基準部２を、一面開放、他面有底のドラム型に構成し、前記回動部３を、前記基準部２と実質的に同径サイズで、一面開放、他面有底のドラム型に構成し、前記基準部２と前記回動部３の開放面を略密着状態で対向配置し、前記回動部３のドラム内部に前記錘部４を固定し、且つ、前記振止部６の構成部材である１本の規制ピン６Ａをその有底面の外側に、該ドラム型の軸線方向に並行となるように突設配置し、前記振止部６を、同様の一面開放、他面有底のドラム型に構成して、その開放面を前記回動部３の有底面の外側に略密着状態で臨ませて配置して前記支持部１に固定して設け、前記振止部６のドラム型内部に、２本の振止め範囲規制ピン６Ｂ、６Ｃを所定の間隔で設けてある。【００１８】  前記回動部３、前記基準部２の大きさとしては、土木作業車の大きさにより適宜設定していもので、操縦席からショベル角度の変化を目視できる大きさ、例えば、直径１０ｃｍ（本実施例）乃至１５ｃｍ程度とすることが好ましい。
また、前記錘部４の錘についても、そのドラムの大きさに応じて適宜設定されるものである。
更に、２本の振止め範囲規制ピン６Ｂ、６Ｃは、規制ピン６Ａが１ｃｍ乃至２ｃｍの振幅で可動できる角度に設定される。【００１９】  上記の構造を更に具体的に述べると、前記振止部６のドラム型有底面の外側の中心にネジ軸７を突設し、該ネジ軸７を前記支持部１にナット８でもって所定回動位置１９で固定できるように構成してある。【００２０】  また、前記基準部２のドラム型有底面の中心に、その一端のネジ部９Ａが外側に突出し、その他端の基端部９Ｂが内側に突出するネジ軸９を設け、前記基端部９Ｂに挿入孔９Ｃを形成し、前記ネジ部９Ａを前記支持部１にナット１０でもって所定回動位置１９で固定できるように構成し、前記回動部３のドラム型有底面の中心に、その一端のネジ部１１Ａが外側に突出し、その他端の基端部１１Ｂが内側に突出するネジ軸１１をナット１２、１２でもって固定し、該ネジ軸１１の基端部１１Ｂに挿入孔１３を形成し、前記回動部３のネジ軸１１の挿入孔１３と前記基準部２のネジ軸９の基端部９Ｂの挿入孔９Ｃとに亘って支持軸１４を夫々回動自在に遊嵌してある。
更に、図示されているように、上述の２本の振止め範囲規制ピン６Ｂ、６Ｃ及び規制ピン６Ａには、緩衝用ゴムが被せられている。【００２１】  従って、当初、バケット１５を例えば法面の仕上げ作業においては、その法面の所要角度に操作しておき、その状態で、支持部１をバケット１５に取り付け固定する。
その後、前記回動部３の錘による自然の回動により変位した回動部３の回動位置１９を基準として、その基準部２の支持部１に対する基準位置５を一致させた状態で、基準部２の支持部１に対する固定を完了する。【００２２】  前記振止部６のネジ軸７を緩め、その２本の振止め範囲規制ピン６Ｂ、６Ｃの中間に、前記回動部３の１本の規制ピン６Ａが位置するように回動させておいてから、支持部１に対して前記振止部６を固定する。
この状態でバケット１５が法面仕上げで操作されて、その傾斜が変化すると、前記回動部３は、その内部の錘部４の存在により、常に最下方に相対的に回動し、結果として、前記回動部３の回動位置１９が、基準部２の基準位置５に対しズレを生じる（図３の矢印方向参考）。【００２３】  この状態を、操縦席から目視して、バケット１５の姿勢を変える操作を行い、前記回動部３の回動位置１９が、基準部２の基準位置５に合致するように姿勢制御するのである。
これによって、バケット１５の初期設定の傾斜角度（法面以外では、水平の場合もある）を回復させ、所定角度の法面傾斜を得るように仕上げ作業を行うことが出来る。
【産業上の利用可能性】
【００２４】  本発明は、法面の切削、均し作業の他に、土羽打ち仕上げ、水平仕上げ（波返し）、ほ場整備等の畦畔天端仕上げ、土間水平打ち仕上げ等の作業を対象として利用される。
また、土木作業車としては、バックホウ、ユンボ（商標名）等、ショベル（バケット）を搭載している、若しくは搭載可能な作業車であれば、どのような機種でも取り付け可能である。
【図面の簡単な説明】
【００２５】
【図１】本発明にかかるショベル角度指示器を取り付けたショベルの要部の側面図。
【図２】本発明にかかるショベル角度指示器を取り付けたショベルの要部の背面図。
【図３】本発明にかかるショベル角度指示器の分解全体正面図。
【図４】本発明にかかるショベル角度指示器の分解全体一側面図。
【図５】本発明にかかるショベル角度指示器の分解全体他側面図。
【図６】本発明にかかるショベル角度指示器の平面図。
【図７】本発明にかかるショベル角度指示器の要部の分解一部縦断側面図。
【図８】本発明にかかるショベル角度指示器の要部の側面視から見た分解側面図。
【図９】本発明にかかるショベル角度指示器の振止部の一部縦断分解図。
【図１０】本発明にかかるショベル角度指示器の振止部の側面視から見た分解側面図。
【図１１】本発明にかかるショベル角度指示器の用いた法面作業を示す側面図。
【図１２】本発明にかかるショベル角度指示器の用いた土打ち仕上げ作業を示す側面図。
【図１３】本発明にかかるショベル角度指示器の用いた水平仕上げ作業を示す側面図。
【符号の説明】
【００２６】  １：支持部
２：基準部
３：回動部
５：基準位置
１９：回動位置
４：錘部
６：振止部
６Ａ：：規制ピン
６Ｂ：振止め範囲規制ピン
６Ｃ：振止め範囲規制ピン
７：ネジ軸
８：ナット
９：ネジ軸
９Ａ：ネジ部
９Ｂ：基端部
９Ｃ：挿入孔
１０：ナット
１１：ネジ軸
１１Ａ：ネジ部
１１Ｂ：基端部
１２：ナット
１３：挿入孔
１４：支持軸
【図１】
2007040081.tif 000003
【図２】
2007040081.tif 000004
【図３】
2007040081.tif 000005
【図４】
2007040081.tif 000006
【図５】
2007040081.tif 000007
【図６】
2007040081.tif 000008
【図７】
2007040081.tif 000009
【図８】
2007040081.tif 000010
【図９】
2007040081.tif 000011
【図１０】
2007040081.tif 000012
【図１１】
2007040081.tif 000013
【図１２】
2007040081.tif 000014
【図１３】
2007040081.tif 000015